(57)【特許請求の範囲】
【請求項１】
メディアが収納される第一の番地および第二の番地を有し、前記メディアを前記第一の番地あるいは前記第二の番地から情報読み出し可能位置に移動させるローディング機構と、
前記第一の番地に関連する動作状態を示す、単色の第一の発光ダイオードと、
前記第一の番地を選択する第一選択スイッチと、
前記第二の番地に関連する動作状態を示す、前記第一の発光ダイオードと同色の第二の発光ダイオードと、
前記第二の番地を選択する第二の番地選択スイッチと、
前記第一の発光ダイオードおよび前記第二の発光ダイオードの発光を制御する制御手段と、
前記第一選択スイッチあるいは前記第二選択スイッチによる選択結果に対応する番地にメディアを収納する準備を行うように前記ローディング機構に命令を出すロードスイッチと、
前記第一選択スイッチあるいは前記第二選択スイッチによる選択結果に対応する番地に収納されているメディアを前記ローディング機構から取り出す準備をするように前記ローディング機構に命令を出すエジェクトイッチと、を備え、
前記制御手段は、前記第一の番地にメディアが収納されているとき前記第一の発光ダイオードを点灯させ、前記第二の番地にメディアが収納されているとき前記第二の発光ダイオードを点灯させ、前記ロードスイッチあるいは前記イジェクトスイッチによりメディアの収納あるいはメディアの取り出しの準備が開始されたとき前記第一選択スイッチおよび前記第二選択スイッチによる選択結果に基づいて、前記第一選択スイッチあるいは前記第二選択スイッチにより現在選択されている番地に対応する発光ダイオードの明滅周期を所定の第一周期に変更し、メディアの収納あるいはメディアの取り出しの準備が完了したとき前記第一選択スイッチあるいは前記第二選択スイッチにより現在選択されている番地に対応する発光ダイオードの明滅周期を第一周期より速い第二周期に変更するメディアチェンジャー。
【発明の詳細な説明】
【０００１】
【発明の属する技術分野】
本発明は、メディアチェンジャー、特に、所定数の互いの異なる番地が設定され、該各番地にメディアを出し入れ可能に収納することができ、各番地に収納されたメディアを順次一つずつ抽出して再生若しくは記録することができるようにし、上記各番地毎にそこへのメディアの収納が為されているか否か、その他収納に関するメディアの状態を表示する表示手段を設けたメディアチェンジャーに関する。
【０００２】
【従来の技術】
メディアチェンジャーとして、自動車のダッシュボードに直接インストールするインダッシュ型ＣＤ(Compact Disk)チェンジャーがある。このようなインダッシュ型ＣＤチェンジャーは、一般に、複数枚、例えば６枚のディスクを収納することができ、その複数枚のＣＤから一枚ずつ再生部に自動的にローディングして再生をすることができるようになっている。そして、ＣＤの収納状況の把握等のために、番地をその収納枚数分設定し、該各番地にＣＤを出し入れ可能に収納できるようにし、各番地毎にその番地にＣＤが収納されているか否か、その他の収納に関する状態について表示する表示手段を設けたものが多い。
【０００３】
ところで、従来において、インダッシュ型ＣＤチェンジャーの表示手段は、２色（例えば緑色とオレンジ色）ＬＥＤ（発光ダイオード）を用いる等して２色により、各種の異なる内容の表示をするようにしたものであった。
【０００４】
【発明が解決しようとする課題】
ところで、上述したように、２色により各種の異なる内容の表示をするという従来技術には、メーカー（自動車メーカー或いはオーディオ装置メーカー）により色による表示とそれによる表示内容との関係に関して統一性がないため、Ａ社とＢ社とで同じ色の意味が逆になるという可能性があり、その場合、買い換えユーザーの混乱を招くという問題があった。斯かる問題は、最悪の場合、混乱により重大な事故の原因となる可能性があるので看過できない。
【０００５】
また、各番地毎に設ける表示手段を、２色ＬＥＤを用いる等２色で表示するものにすると高価格になるという問題もあった。
【０００６】
本発明はこのような問題点を解決すべく為されたものであり、所定数の互いの異なる番地が設定され、該各番地にメディアを出し入れ可能に収納することができ、各番地に収納されたメディアを順次一つずつ抽出して再生若しくは記録することができるようにし、上記各番地毎に、そこへのメディアの収納が為されているか否か、その他収納に関するメディアの状態を示す表示手段を設けたメディアチェンジャーにおいて、上記表示手段による表示を解りやすくし、メーカーにより表示態様とそれが示す内容との関係が逆になるような混乱が起きないようにし、更には、表示手段を低価格化することを目的とする。
【０００７】
【課題を解決するための手段】
本発明は、メディアが収納される第一の番地および第二の番地を有し、メディアを第一の番地あるいは第二の番地から情報読み出し可能位置に移動させるローディング機構と、第一の番地に関連する動作状態を示す、単色の第一の発光ダイオードと、第一の番地を選択する第一選択スイッチと、第二の番地に関連する動作状態を示す、第一の発光ダイオードと同色の第二の発光ダイオードと、第二の番地を選択する第二の番地選択スイッチと、第一の発光ダイオードおよび第二の発光ダイオードの発光を制御する制御手段と、第一選択スイッチあるいは第二選択スイッチによる選択結果に対応する番地にメディアを収納する準備を行うようにローディング機構に命令を出すロードスイッチと、第一選択スイッチあるいは第二選択スイッチによる選択結果に対応する番地に収納されているメディアをローディング機構から取り出す準備をするようにローディング機構に命令を出すエジェクトイッチと、を備え、制御手段は、第一の番地にメディアが収納されているとき第一の発光ダイオードを点灯させ、第二の番地にメディアが収納されているとき第二の発光ダイオードを点灯させ、ロードスイッチあるいはイジェクトスイッチによりメディアの収納あるいはメディアの取り出しの準備が開始されたとき第一選択スイッチおよび第二選択スイッチによる選択結果に基づいて、第一選択スイッチあるいは第二選択スイッチにより現在選択されている番地に対応する発光ダイオードの明滅周期を所定の第一周期に変更し、メディアの収納あるいはメディアの取り出しの準備が完了したとき第一選択スイッチあるいは第二選択スイッチにより現在選択されている番地に対応する発光ダイオードの明滅周期を第一周期より速い第二周期に変更するものである。
【０００８】
従って、請求項１のメディアチェンジャーによれば、一色の表示の点灯、消灯、点滅によりメディアの収納が為されているか否か等について示すので、例えば、或る番地にメディアが収納されている、或いはそれが再生若しくは記録中である、或いは再生部若しくは記録部とその番地との間を移動中のときは点灯にし、メディアが収納されていないときは消灯にし、収納準備中、収納途中或いは取り出し途中であるときは点滅にすることにより、表示とそれが示す内容との関係が直感的に把握できるようにすることができる。
【０００９】
従って、メーカーにより同じ表示態様が逆の内容を示すというような大きな混乱が生じるおそれがなく、延いてはその混乱により重大な事故が発生するおそれもない。
また、表示を一色で行うので、表示手段は安価なもので済み、表示手段の低価格化、延いては表示手段を用いたメディアチェンジャーの低価格化を図ることができる。
【００１０】
尚、点滅表示として周期の異なる複数種のものを設定し、それにより異なる内容を示すようにすると、表示の種類を多くして示す内容の種類を増やすことができる。
【００１１】
【発明の実施の形態】
本発明は、基本的には、インダッシュ型ＣＤチェンジャー等のメディアチェンジャーにおいて、表示手段が一色の表示の点灯、消灯、点滅によりメディアの収納が為されているか否か、その他収納に関するメディアの状態を示すようにしたものであるが、メディアとしてはＣＤに限定されるものではなく、例えばＭＤ(Mini Disk)、ＤＶＤ(Degital Video Disk)等各種記録媒体を用い得る。従って、本発明におけるメディアとしてＣＤのように再生専用のものに限らず、記録と再生の両方ができるものを用いることができる。従って、本発明は、再生専用のものに限らず、再生及び記録の両方ができるメディアチェンジャーにも適用でき得る。
【００１２】
また、メディアチェンジャーに収納できるＣＤ等、メディアの枚数は例えば５枚、６枚等が好適であると言えるが、収納スペースさえ許せばそれ以上の枚数例えば十数枚或いは数十枚であっても良い。
表示手段としては、発光ダイオード（ＬＥＤ）が好適であるが、必ずしもこれに限定されるものではなく、例えば液晶素子、ランプ等を用いても良い。要するに、一色でその色が出た状態と、消えた状態と、これらの二つの状態が交互に切り換わる点滅状態を実現できるものであればどのような表示手段を用いても良い。
【００１３】
【実施例】
以下、本発明を図示実施例に従って詳細に説明する。
図面は本発明メディアチェンジャーをインダッシュ型ＣＤチェンジャーに適用した一つの実施例を説明するためのもので、図１はその実施例を一部として有するカーオーディオ装置の概略構成を示す回路ブロック図、図２はインダッシュ型ＣＤチェンジャーのフロントパネルの正面図、図３は該インダッシュ型ＣＤチェンジャーの表示手段に対する制御動作を示すフローチャートである。先ず、図１を参照してインダッシュ型ＣＤチェンジャーを一部として有するカーオーディオ装置の概略構成について先ずインダッシュ型ＣＤチェンジャーを除く部分から説明する。
【００１４】
図面において、１は音声放送を受信するチューナで、ＡＭ放送波、ＦＭ放送波、テレビジョン放送の音声のＦＭ放送波を受信する。２はアンプで、チューナ１からの音声信号或いは後述する音声信号処理回路３からの音声信号を増幅等する。４Ｌ、４Ｒはスピーカで、アンプ２から出力された音声信号を音声に変換する。５は制御部で、図示しないＣＰＵとメモリからなる。該メモリはＣＰＵが実行するプログラムを記憶し、また、ＣＰＵがそのプログラムを実行する過程で必要となるデータの一時的な記憶をもする。６は制御部５とチューナ１との間に介在するインターフェイス、７はユーザーがカーオーディオ装置を操作のための入力をする入力部である。
【００１５】
次に、カーオーディオ装置を構成するインダッシュ型ＣＤチェンジャーについて説明する。８はインダッシュ型ＣＤチェンジャーのメカニカル部分で、制御部５によりコントロールされる。具体的には、メディアたるＣＤの受け入れ、受け入れたＣＤの再生部（光ピックアップ部）へのローディング、元の番地位置へのアンローディング、再生のための各種動作（ＣＤの回転等）については勿論のこと、インダッシュ型ＣＤチェンジャーのフロントパネルのスイッチ操作による入力信号の受け入れをし、また、各番地についての表示に関する動作も制御部５によりコントロールされる。９はＣＤの信号を読み取る光ピックアップ、１０は該光ピックアップ９と制御部５との間に介在するインターフェイスである。この光ピックアップ９を通じてＣＤから読み出された音声信号はインターフェイス１０を介して制御部５に入力され、音声信号処理回路３によりディジタル／アナログ変換等の処理を施されてアンプ２送られ、ここで増幅等の処理をされ、スピーカ４Ｌ、４Ｒにより音声に変換される。
【００１６】
１１はインダッシュ型ＣＤチェンジャーのフロントパネルの各スイッチ（釦）ＳＬ、Ｓ１〜Ｓ６及びＳＥからなるスイッチ回路で、このスイッチＳが操作されるとその操作内容が制御部５に入力される。ＳＬはロードスイッチで、インダッシュ型ＣＤチェンジャーにＣＤを収納するとき押すスイッチである。Ｓ１は番地１のスイッチで、ＣＤを収納する或いは引き出す番地を、押して番地１に特定するスイッチである。Ｓ２は、番地２の、Ｓ３は番地３の、Ｓ４は番地４の、Ｓ５は番地５の、Ｓ６は番地５のスイッチで、スイッチＳ１と同様に自己と対応する番地へのＣＤの収納、その番地からのＣＤの引き出しをするときに押すスイッチである。ＳＥはエジェクトスイッチで、インダッシュ型ＣＤチェンジャーからＣＤを引き出すときに押すスイッチである。尚、本実施例においてインダッシュ型ＣＤチェンジャーのＣＤ収納枚数は６枚であり、番地は番地１から番地６までの６個ある。尚、図面では各スイッチ（釦）ＳＬ、Ｓ１〜Ｓ６及びＳＥが並列に接続されたかに見えるかもしれないが、それぞれ独立して入力を制御部５に伝送できるようになっている。
【００１７】
Ｄ１〜Ｄ６は上記各番地１〜６に対応して設けられた発光ダイオードＤ１〜６からなる表示手段で、制御部５により制御されて点灯、消灯、周期の短い点滅、周期の長い点滅の４通りの表示態様をとり得る。１２はこの表示手段を成す発光ダイオードＤ１〜Ｄ６からなる表示回路である。尚、該ダイオードＤ１〜Ｄ６は制御部５により各別に制御を受ける。尚、図面では各ダイオードＤ１〜Ｄ６が並列に接続されたかに見えるかもしれないが、それぞれ独立して制御されるようになっている。
【００１８】
次に、図２を参照してインダッシュ型ＣＤチェンジャーのフロントパネルの説明をする。１５はエスカッション、１６はＣＤの挿入口兼排出口、ＳＬは上記ロードスイッチ、Ｓ１は上記番地１のスイッチ、同じく、Ｓ２は上記番地２の、Ｓ３は上記番地３の、Ｓ４は上記番地４の、Ｓ５は上記番地５の、Ｓ６は上記番地６のスイッチである。ＳＥは上記エジェクトスイッチである。即ち、図１の各スイッチＳＬ、Ｓ１〜Ｓ６及びＳＥがフロントパネルの表面に操作可能に設けられている。
【００１９】
Ｄ１〜６は図１に図示された上記発光ダイオードで、Ｄ１はスイッチＳ１の上に、Ｄ２はスイッチＳ２の上に、Ｄ３はスイッチＳ３の上に、Ｄ４はスイッチＳ４の上に、Ｄ５はスイッチＳ５の上に、Ｄ６はスイッチＳ６の上にフロントパネル正面から視認可能なるように配置されており、発光ダイオードＤ１〜６により各番地におけるＣＤの収納に関する状態（状況）を把握することができる。
【００２０】
図３は本実施例の表示手段Ｄ１〜Ｄ６による表示に関する制御動作を説明するフローチャートであり、これを参照して制御動作を説明する。
（ＳＴ１）「ストック番地点灯」
先ず、現在インダッシュ型ＣＤチェンジャーの各番地のうちＣＤが収納（ストック）されている各番地についてその番地と対応する発光ダイオードＤを点灯状態にする。例えば１番地がＣＤ収納状態にあるときは、表示手段Ｄ１を点灯する。そして、複数の番地にＣＤが収納されているときは当然に複数の発光ダイオードＤが点灯することになる。このステップＳＴ１により、発光ダイオードＤが点灯することにより、ユーザーがそれを視認してどの番地にＣＤが収納され、どの番地に空きがあるかについて認識することができる状態になるのである。
【００２１】
（ＳＴ２）「ＳＬ押された？」
次に、ロードスイッチＳＬが押されたか否かを判定する。ロードスイッチＳＬはインダッシュ型ＣＤチェンジャーにＣＤを収納しようとするときに押すスイッチであり、これを押すことがＣＤを収納する旨のインダッシュ型ＣＤチェンジャーに対する意思表示となる。本ステップＳＴ２は、将にその意思表示が為されたか否かを判定するものである。尚、この判定結果がＮｏの場合には、ステップＳＴ９の判定が行われるが、これについては後で説明する。
【００２２】
（ＳＴ３）「空き番地スイッチＳ押されたか？」
上記ステップＳＴ２の判定でＹｅｓという判定結果が得られたときは、空き番地のスイッチＳが押されたか否かを判定する。インダッシュ型ＣＤチェンジャーはロードスイッチＳＬが押されてもどの番地にＣＤを収納するのかについては判断ができない。従って、ロードスイッチＳＬを押した後はＣＤを収納する番地を空き番地（現在ＣＤが収納されていない番地）から選び、その番地のスイッチＳを押すことをユーザーに求める。このステップＳＴ３は収納（ストック）しようとする番地を特定する意思表示が為されたか否かを判定するものである。その判定はＹｅｓという判定結果が得られるまで繰り返される。尚、誤って既にＣＤが収納されている（ストック済みの）番地が指定された場合も本ステップＳＴ３の判定結果がＮｏになり、インダッシュ型ＣＤチェンジャーに無視されることになる。
【００２３】
（ＳＴ４）「遅い点滅」
上記ステップＳＴ３の判定結果がＹｅｓになった場合、即ち、ストック先として空きのある番地が指定された場合、その番地と対応するダイオードＤが遅い点滅、即ち、周期の長い点滅をする駆動する。この遅い点滅はその番地へのＣＤの収納の準備をしていることを示す表示である。
このダイオードＤの遅い点滅表示によりその番地へのＣＤの収納の準備が行われていることを確認することができる。
【００２４】
（ＳＴ５）「受入準備完了？」
次に、ＣＤを受け入れる準備が完了したか否かの判定をＹｅｓという判定結果が得られるまで繰り返す。ステップＳＴ３の判定結果がＹｅｓになると、インダッシュ型ＣＤチェンジャー側は直ぐに受け入れ準備にはいるが、準備には若干の時間がかかり、受け入れ準備が完了する前にＣＤが挿入されると故障等のトラブルが発生するおそれがある。従って、受け入れ準備が完全に完了してからＣＤを上記ＣＤ挿入口兼排出口１６に挿入する必要があり、そのため、受け入れ準備が完了したときそのことを表示で示す必要があるが、その前提として受け入れ準備が完了したか否かを判定する必要がある。将に、このステップＳＴ５はその判定を行うステップＳＴなのである。
【００２５】
（ＳＴ６）「速い点滅」
上記ステップＳＴ５の判定結果がＹｅｓとなったときに、受け入れ準備が完了したことを示すべく、遅く点滅している当該番地の発光ダイオードＤの点滅の周期を短くする（速い点滅にする）。この点滅の周期が短くなったことによってユーザーはＣＤを上記ＣＤ挿入口兼排出口１６に入れて良くなったことを確認することができる。換言すれば、この点滅の周期の短かささがＣＤの挿入の促す（督促する）ことになる。
【００２６】
（ＳＴ７）「ローディング完了？」
次に、ＣＤのローディングが完全になったか否かを判定する。即ち、上記発光ダイオードＤの周期の短い点滅により挿入を督促されていたＣＤが上記ＣＤ挿入口兼排出口１６に挿入されると、インダッシュ型ＣＤチェンジャー側はそれを受け入れる番地乃至ＣＤ再生部にローディングをするが、そのローディングが済むまでは上記速い点滅を繰り返し続け、ローディングが完了するしたときその発光ダイオードＤを点灯状態にして収納されたことを示す必要がある。そして、その前提としてローディングが完了したことを確認をする必要があり、その確認を行うのが、本ステップＳＴ７なのである。
【００２７】
（ＳＴ８）「点灯」
上記ステップＳＴ７の判定結果がＹｅｓになったとき、即ち、ローディングが完全に終了したとき、短い周期で点滅していた当該番地の発光ダイオードＤを点灯状態にする。即ち、点滅ではなく、点灯した状態が継続する状態にするのである。これにより、ユーザーは当該番地にＣＤが収納された状態なったことを認識することができる。
【００２８】
尚、インダッシュ型ＣＤチェンジャーに収納されたＣＤが再生されたとしても再生中はそのＣＤの収納先の番地の発光ダイオードＤは点灯状態を保ち、また、再生が終了しても点灯状態を保ち、更に、ストック先の番地にＣＤが収納されても点灯状態を保つように駆動される。この点灯状態は当該番地からＣＤがエジェクトされ始めるまで継続するのであるが、これについては後述する。
【００２９】
（ＳＴ９）「ＳＥ押された？」
上記ステップＳＴ２の判定結果がＮｏのときは、エジェクトスイッチＳＥが押されたか否かの判定をする。即ち、エジェクトスイッチＳＥはインダッシュ型ＣＤチェンジャーからＣＤを取り出すとき（チェンジャーからＣＤを排出させるとき）に押すスイッチであり、これを押すことがＣＤを取り出す旨のインダッシュ型ＣＤチェンジャーに対する意思表示となる。本ステップＳＴ９はその意思表示が為されたか否かを判定するものである。
【００３０】
（ＳＴ１０）「ストック番地スイッチＳ押されたか？」
上記ステップＳＴ９の判定でＹｅｓという判定結果が得られたときは、ストック番地（ＣＤが収納された番地）のスイッチＳＥが押されたか否かを判定する。インダッシュ型ＣＤチェンジャーはエジェクトスイッチＳＥが押されてもどの番地のＣＤを取り出すのかについては判断ができない。従って、エジェクトスイッチＳＥを押した後はＣＤを取り出す番地をストック番地（現在ＣＤが収納されている番地）から選び、その番地のスイッチＳを押す必要がある。このステップＳ１０はＣＤを取り出そうとする番地を特定する意思表示が為されたか否かを判定するものである。その判定はＹｅｓという判定結果が得られるまで繰り返される。尚、誤ってＣＤが収納されていない番地が指定された場合も本ステップＳＴ１０の判定結果がＮｏになり、インダッシュ型ＣＤチェンジャーに無視されることになる。
【００３１】
（ＳＴ１１）「遅い点滅」
上記ステップＳＴ１０の判定結果がＹｅｓになった場合、即ち、ＣＤの引き出し先としてストックのある番地が指定された場合、その番地と対応するダイオードＤが遅い点滅、即ち、周期の長い点滅をするよう駆動される。この遅い点滅はその番地からのＣＤの排出の準備をしていることを示す表示である。
このダイオードＤの遅い点滅表示によりその番地からのＣＤの排出の準備が行われていることを確認することができる。
【００３２】
（ＳＴ１２）「吐き出し開始？」
次に、ＣＤを吐き出し動作が開始されたか否かの判定をＹｅｓという判定結果が得られるまで繰り返す。
（ＳＴ１３）「速い点滅」
上記ステップＳＴ１２の判定結果がＹｅｓとなったときに、吐き出し（排出）動作を開始したことを示すべく、遅く点滅している当該番地の発光ダイオードＤの点滅の周期を短くする（速い点滅にする）。この点滅の周期が短くなったことによってユーザーは直ぐにＣＤが上記ＣＤ挿入口兼排出口１６から適宜排出されてディスク引き抜きが出きる状態になることを認識することができる。換言すれば、この点滅の周期の短かささがＣＤの引き抜きを促す（督促する）ことになる。
【００３３】
（ＳＴ１４）「ＣＤ引き抜き？」
ＣＤが上記ＣＤ挿入口兼排出口１６から排出されると、手等によるＣＤの引き出しが可能になり、上記発光ダイオードＤの周期に短い点滅によりＣＤのその引き出しを督促し待つわけであるが、その引き出しが為され終わるまではＣＤの完全に排出が終了したと言えるわけではなく、従って、排出が終了したことを示す当該番地の発光ダイオードＤを消灯状態にはしてはならない。消灯するのは飽くまでＣＤの引き抜きが終了してからである。そこで、消灯の前提としてＣＤ引き抜きが済んだことを確認することが必要であり、本ステップＳＴ１４は将にその確認をするための判定である。
【００３４】
（ＳＴ１５）「消灯」
上記ステップＳＴ１４の判定結果がＹｅｓになった場合、即ち、ＣＤが引く抜かれた場合、当該番地の発光ダイオードＤを消灯させる。この消灯により当該番地が空の番地になったことが示される。
【００３５】
本インダッシュ型ＣＤチェンジャーによれば、表示回路１２を構成する各発光ダイオードＤ１〜Ｄ６の表示状態により各番地のＣＤ収納状態を確認することができる。
即ち、本インダッシュ型ＣＤチェンジャーは、ＣＤがストックされていない番地についてはその番地と対応する発光ダイオードＤを消灯状態にし、ＣＤがストックされている、或いはそのＣＤが再生されている、或いはＣＤのストック部と再生部との間を移動中であるかのいずれかである場合には、つまり、インダッシュ型ＣＤチェンジャー内に完全に収納された状態になっている場合には、そのＣＤの番地の発光ダイオードＤを点灯状態にする。
【００３６】
そして、ＣＤを入れる、或いはＣＤを引き出すときの過度的な状態にある場合、当該番地の発光ダイオードＤを点滅状態にする。次に、上記ＣＤ挿入口兼排出口１６対してのＣＤの挿入或いは引き出しを促す（督促する）ときにはその点滅の周期を短くするのである。
【００３７】
元来、表示の点滅はユーザー等の注意を惹き易い。そして、その点滅の周期を短くすると、注意惹起力が強まり、督促に極めて有効である。従って、遅い点滅により過度的状態であることを示し、その周期を短くする、即ち、速い点滅によりＣＤの挿入或いは引き抜きを督促するので、ユーザーにＣＤについての誤りのない操作を促すことができる。
【００３８】
このように、本インダッシュ型ＣＤチェンジャーによれば、ユーザー等は、各発光ダイオードＤの一色の表示から該各発光ダイオードＤと対応する番地についてのＣＤの収納の有無を認識することができ、ＣＤの収納、引き出しに関する準備等の過度的状態を遅い点滅により認識することができ、その点滅の周期を速まった（周期が短くなった）ことにより挿入或いは引き抜きを促されていることを認識することができ、ユーザー等は直感的に各番地のＣＤ収納状態を認識することができる。
【００３９】
そして、一色の表示の点灯、消灯、点滅によりＣＤのインダッシュ型ＣＤチェンジャーへの収納に関する状態を示すので、メーカーにより同じ表示態様が逆の内容を示すというような大きな混乱が生じるおそれがなく、延いてはその混乱により重大な事故が発生するおそれもない。
また、表示を一色で行うので、表示手段は安価なもので済み、表示手段の低価格化、延いては表示手段を用いたメディアチェンジャーの低価格化を図ることができる。
【００４０】
【発明の効果】
請求項１のメディアチェンジャーによれば、一色の表示の点灯、消灯、点滅によりメディアの収納が為されているか否か等、メディアの各番地への収納に係る状態について示すので、例えば或る番地にメディアが収納されている、或いはそれが再生中であるときは点灯、或る番地にメディアが収納されていないときは消灯、或る番地への収納準備、途中或いは取り出し途中であるときは点滅というように表示することにより、表示とそれが示す内容との関係が直感的に把握できるようにすることが可能となり、メーカーにより同じ表示態様が逆の内容を示すというような大きな混乱が生じるおそれがなく、延いてはその混乱により重大な事故が発生するおそれもない。
【００４１】
請求項２のメディアチェンジャーによれば、点滅表示として周期の異なる複数種のものを設け、それにより異なる内容を示すようにすると、表示の種類を多くして示す内容の種類を増やすことができる。例えば、長い周期の点滅表示によりメディアが或る番地への収納準備、途中或いは取り出し途中というような過度的状態にあることを示し、短い周期の点滅表示によりメディアの挿入、引き抜き等を促す（督促する）というようにすると表示の多様性が高まり、且つ表示も感覚的に把握でき易い。
【図面の簡単な説明】
【図１】本発明メディアチェンジャー（インダッシュ型ＣＤチェンジャー）の一つの実施例を示す回路ブロック図である。
【図２】上記実施例のフロントパネルを示す平面図である。
【図３】上記実施例の表示手段の制御動作を示すフローチャートである。
【符号の説明】
５・・・制御部、８・・・メディアチェンジャーのメカニカル部分、
９・・・光ピックアップ、１１・・・スイッチ回路、
Ｄ１〜Ｄ６・・・表示手段（発光ダイオード）、
Ｓ１〜Ｓ６・・・スイッチ回路１１を構成する、各番地に対応するスイッチ。
【図１】
0004206626.tif 000002
【図２】
0004206626.tif 000003
【図３】
0004206626.tif 000004